(57)【要約】  【課題】ゴルフボールの捕まり度合いやゴルフクラブヘッドの返りの良さが揃えられたゴルフクラブセットを提供する。  【解決手段】ゴルフクラブヘッドのロフト角が互いに異なる複数本のゴルフクラブを有するゴルフクラブセットにおいて、ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブのゴルフクラブヘッドの質量とを乗算して得られる値を前記ゴルフクラブの第１の指標としたとき、前記複数本のゴルフクラブのうち、前記ロフト角度が最大となるゴルフクラブの第１の指標を基準として、いずれのゴルフクラブの第１の指標も７５％から１００％の範囲にある。【選択図】図２
2005304775.tif 000002
【特許請求の範囲】
【請求項１】
ゴルフクラブヘッドのロフト角が互いに異なる複数本のゴルフクラブを有するゴルフクラブセットにおいて、
ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブのゴルフクラブヘッドの質量と、を乗算して得られる値を前記ゴルフクラブの第１の指標としたとき、
前記複数本のゴルフクラブのうち、前記ロフト角度が最大となるゴルフクラブの第１の指標を基準として、いずれのゴルフクラブの第１の指標も７５％から１００％の範囲にあることを特徴とするゴルフクラブセット。
【請求項２】
ロフト角が異なる複数本のアイアンクラブセットを有するゴルフクラブセットであって、前記ロフト角が４０度から４４度の間にあるアイアンクラブの前記第１の指標を基準とする請求項１に記載のゴルフクラブセット。
【請求項３】
ゴルフクラブヘッドのロフト角が２０°から４４°の範囲で互いに異なる複数本のゴルフクラブを有するゴルフクラブセットにおいて、
ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブのゴルフクラブヘッドの質量と、を乗算して得られる値を前記ゴルフクラブの第１の指標としたとき、
前記複数本のゴルフクラブのうち、前記ロフト角度が最大となるゴルフクラブの第１の指標を基準として、いずれのゴルフクラブの第１の指標も７５％から１００％の範囲にあることを特徴とするゴルフクラブセット。
【請求項４】
ゴルフクラブヘッドのロフト角が互いに異なる複数本のゴルフクラブを有するゴルフクラブセットにおいて、
ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブシャフトに所定量のトルクを加えた場合に、ゴルフクラブシャフトの中心角がねじれる角度であるねじれ角と、を乗算して得られる値を第２の指標としたとき、
前記複数本のゴルフクラブのうち、前記ロフト角度が最大となるゴルフクラブの第２の指標を基準として、いずれのゴルフクラブの第２の指標も８０％から１２０％の範囲にあることを特徴とするゴルフクラブセット。
【請求項５】
ロフト角が異なる複数本のアイアンクラブセットを有するゴルフクラブセットであって、前記ロフト角が４０度から４４度の間にあるアイアンクラブの前記第２の指標を基準とする請求項４に記載のゴルフクラブセット。
【請求項６】
ゴルフクラブヘッドのロフト角が２０°から４４°の範囲で互いに異なる複数本のゴルフクラブを有するゴルフクラブセットにおいて、
ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブシャフトに所定量のトルクを加えた場合に、ゴルフクラブシャフトの中心角がねじれる角度であるねじれ角と、を乗算して得られる値を第２の指標としたとき、
前記複数本のゴルフクラブのうち、前記ロフト角度が最大となるゴルフクラブの第２の指標を基準として、いずれのゴルフクラブの第２の指標も８０％から１２０％の範囲にあることを特徴とするゴルフクラブセット。
【請求項７】
前記加速度成分は、ゴルファがゴルフボールを打撃する場合におけるゴルフボール打撃直前のヘッドスピードの値（ｍ／ｓ）を、ゴルフクラブの長さ（インチ）から３インチ減算した値とし、
ゴルファがゴルフボールを打撃する場合におけるゴルフクラブヘッドの軌道のうち、前記地面に対して平行な平面上に射影した射影軌道におけるゴルフボール打撃直前の曲率半径を１３００ｍｍとして、算出した値である請求項１乃至６のいずれかに記載のゴルフクラブセット。
【発明の詳細な説明】
【技術分野】
【０００１】
本発明は、ゴルフクラブセットに関し、さらに詳しくは、ロフト角が互いに異なる複数本のゴルフクラブをセットとして供給するゴルフクラブセットに関する。
【背景技術】
【０００２】
ゴルファは、様々な距離にゴルフボールを自在に飛ばせるように、番手またはロフト角が異なる複数本のゴルフクラブを利用する。一般的に、ゴルフボールを打撃する際のゴルフクラブの打撃特性の一つとして、いわゆる、ボールの捕まり度合いが知られている。捕まり度合いとは、ゴルファがゴルフクラブを把持してゴルフボールを打撃する際に、インパクトの瞬間におけるゴルファが感じるフェース面の左右方向へのずれの程度をいう。
ゴルフスウィングとしては、インパクトの瞬間にフェース面をスクエアな状態にしてゴルフボールを打撃することが理想である。しかし、右利きのゴルファの場合において、ゴルフクラブシャフトは、バックスウィングでは時計方向にねじれ、反対にダウンスウィングでは反時計方向にねじれる。そのため、ゴルファが、フェース面をスクエアな状態にしてゴルフフボールを打撃できるような位置に、ゴルフクラブヘッドを置いて構えたとしても、バックスウィングからダウンスウィングを経てインパクトの時点では、フェース面がスクエアな状態であるとは必ずしも限らない。
一般的に、ゴルファは、インパクト時のフェース面がスクエアな状態に近いほど、捕まり度合いが良いと感じる。つまり、ゴルファが感じる捕まり度合いは、フェース面がスクエアな状態に戻るクラブヘッドの返りの良さに対応していると言える。
【０００３】
ゴルファがゴルフクラブを把持してゴルフボールを打撃するとき、インパクトの瞬間にフェース面が開いた状態であれば、ゴルフボールはスライス回転で打ち出され、右方向に曲がり、飛距離は伸びない。このときゴルファは、ゴルフボールを的確な状態（スクエアな状態）で捕まえることができなかったと感じる。
これに対して、ゴルファがゴルフボールを打撃するとき、インパクトの瞬間にフェース面がスクエアな状態であれば、ゴルフボールはストレートに打ち出され、飛距離は伸びる。このときゴルファは、フェース面が的確な状態でゴルフボールを捕らえることができたとして、捕まり度合いが良かったと感じる。一般的にこのような状況は、ゴルフクラブヘッドの返りが良かったと言われる。
このような打撃は、当然に各ゴルファのスウィングに影響されるが、ゴルフクラブの仕様にも依存している。
【０００４】
ところで、このようなゴルフクラブに関するゴルファが感じる捕まり度合いやゴルフクラブヘッドの返りの良さは、ゴルファがゴルフボールを実際に打撃して始めて感覚的に感知されるものである。そのため、従来、この捕まり度合いや返りの良さを、ゴルフクラブの打撃特性として定量的に検討することが十分になされていない。
捕まり度合いや返りの良さに関係する技術が下記特許文献１に開示されている。特許文献１には、ゴルフクラブシャフトをその中心軸に回転自在な状態で水平に保持し、ゴルフクラブシャフトの回転が停止した状態で、ゴルフクラブヘッドのフェース面と鉛直面との間のなす重心角を所定の範囲に設定したゴルフクラブが開示されている。重心角が所定の角度より小さいとゴルフボールはスライス回転し易く、重心角が所定の角度より大きいとゴルフボールはフック回転し易くなること等が記載されている。（特許文献１の第５欄第５〜７行目）。
【特許文献１】特許２６４５３８９号公報
【発明の開示】
【発明が解決しようとする課題】
【０００５】
しかしながら、特許文献１でいう重心角は、ゴルフクラブヘッドの構成である重心位置によって定められるものであり、ゴルフクラブをスウィングしたときのゴルフクラブヘッドの動的な運動に基づいて評価する指標ではない。
このため、上記重心角は、ゴルファ各自によって変化するゴルフスウィング時のヘッドスピードを含まない一定の評価結果であり、ゴルファが感じるゴルフボールの捕まり度合いやクラブヘッドの返りの良さを反映した指標として十分ではなかった。
したがって、捕まり度合いや返りの良さを定量的に検討することができないため、シリーズ化した複数のゴルフクラブやアイアンセットの複数のゴルフクラブを有するゴルフクラブセットの間で、ゴルフボールの捕まり度合いやゴルフクラブヘッドの返りの良さがばらついているものもある。例えば、６番アイアンのゴルフクラブにおけるゴルフボールの捕まり度合いやゴルフクラブヘッドの返りの良さは良いにもかかわらず、５番アイアンゴルフクラブでは捕まり度合いや返りの良さが悪く、スライス回転で打ち出され、その結果５番アイアンのゴルフクラブの飛距離が６番の飛距離と調和しない場合もある。
換言すれば、シリーズ化したゴルフクラブセットやセットで販売されているゴルフクラブであるにもかかわらず、それらのゴルフクラブ間でゴルフボールの捕まり度合いやクラブヘッドの返りの良さにばらつきがあるため、様々な距離にゴルフボールを自在に打ち分けることができないと、ゴルファが不安を抱く場合もある。
本発明は、かかる問題点に鑑みてなされたものであり、シリーズ化した複数のゴルフクラブやアイアンセットの複数のゴルフクラブを有するゴルフクラブセットにおいて、ゴルフボールの捕まり度合いやゴルフクラブヘッドの返りの良さが揃えられたゴルフクラブセットを提供することを目的とする。
【課題を解決するための手段】
【０００６】
前記課題を解決するために、本発明は、ゴルフクラブヘッドのロフト角が互いに異なる複数本のゴルフクラブを有するゴルフクラブセットにおいて、ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブのゴルフクラブヘッドの質量と、を乗算して得られる値を前記ゴルフクラブの第１の指標としたとき、前記複数本のゴルフクラブのうち、前記ロフト角度が最大となるゴルフクラブの第１の指標を基準として、いずれのゴルフクラブの第１の指標も７５％から１００％の範囲にあることを特徴とするゴルフクラブセットを提供する。
さらに、本発明は、前記ロフト角が４０度から４４度の間にあるアイアンクラブの前記第１の指標を基準とすることが好ましい。ゴルフクラブセットは、ゴルフクラブヘッドのロフト角が２０°から４４°の範囲で互いに異なる複数本のゴルフクラブを有することが好ましい。
【０００７】
また、本発明は、ゴルフクラブヘッドのロフト角が互いに異なる複数本のゴルフクラブを有するゴルフクラブセットにおいて、ゴルファがゴルフボールを打撃する直前に地面に対して平行な面上でかつ打撃方向に直交する方向の前記ゴルフクラブヘッドの加速度成分と、前記ゴルフクラブのゴルフクラブシャフトの中心軸または中心軸の延長線から前記ゴルフクラブヘッドの重心位置までの打撃方向に沿った距離である重心位置の後退量と、前記ゴルフクラブシャフトに所定量のトルクを加えた場合に、ゴルフクラブシャフトの中心角がねじれる角度であるねじれ角と、を乗算して得られる値を第２の指標としたとき、前記複数本のゴルフクラブのうち、前記ロフト角が最大となるゴルフクラブの第２の指標を基準として、いずれのゴルフクラブの第２の指標も８０％から１２０％の範囲にあることを特徴とするゴルフクラブセットを提供する。
さらに、本発明は、前記ロフト角が４０度から４４度の間にあるアイアンクラブの前記第２の指標を基準とすることが好ましい。
また、本発明では、前記加速度成分は、ゴルファがゴルフボールを打撃する場合におけるゴルフボール打撃直前のヘッドスピードの値（ｍ／ｓ）を、ゴルフクラブの長さ（インチ）から３インチ減算した値とし、ゴルファがゴルフボールを打撃する場合におけるゴルフクラブヘッドの軌道のうち、前記地面に対して平行な平面上に射影した射影軌道におけるゴルフボール打撃直前の曲率半径を１３００ｍｍとして算出した値とすることもできる。
【発明の効果】
【０００８】
本発明によれば、ゴルフゴルフボールの捕まり度合いやゴルフクラブヘッドの返りの良さを示す第１の指標または第２の指標を所定の範囲に設定した複数本のゴルフクラブを有するゴルフクラブセットを提供することができる。
したがって、シリーズ化した複数のゴルフクラブやアイアンセットの複数のゴルフクラブを有するゴルフクラブセットにおいて、ゴルフボールの捕まり度合いやゴルフクラブヘッドの返りの良さが揃えられたゴルフクラブセットを提供することができる。
これによって、シリーズ化した複数のゴルフクラブやアイアンセットの複数のゴルフクラブを有するゴルフクラブセットにおいて、ゴルフボールの捕まり度合いやゴルフクラブヘッドの返りの良さが揃っているという信頼感をゴルファに与えることができる。
【発明を実施するための最良の形態】
【０００９】
本発明に係るゴルフクラブセットについて、添付の図面に示す実施形態を基に詳細に説明する。
図１は、本発明の実施形態に係るゴルフクラブセットの一例を示す模式図である。ゴルフクラブセット１０は、３番アイアン（Ａ３）から９番アイアン（Ａ９）およびピッチングウェッジ（ＡＰ）、アプローチウェッジ（ＡＡ）、サンドウェッジ（ＡＳ）までの各番手のアイアン（Ａ３〜ＡＳ）１０本によって構成される。各アイアンゴルフクラブは、図１中のアイアンＡ６に示すようにゴルフクラブシャフト１２の一端にグリップ１４を有し、他端にゴルフクラブヘッド１６を備える。ゴルフクラブヘッド１６は、ヒール側で上方に向けられて突設されたホーゼル１８にソケット２０を介してゴルフクラブシャフト１２に連結されている。
【００１０】
ここで、番手とは、主にロフト角θの異なったゴルフクラブをロフト角θの順番に並べることのできるように、各ゴルフクラブに付与した数字（自然数）、文字、または記号等によって表されたロフト角θの順番に関する識別情報である。
また、ロフト角θは、図１中のアイアンＡ６に示すようにゴルフクラブシャフト軸Ｓとフェース面２２とのなす角であり、一定または略一定の間隔で当業者によって適宜設定されている。
【００１１】
ここで、各番手のロフト角θの一例を示すと、アイアンＡ３〜ＡＳのロフト角θは、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°であり、番手が大きくなるにつれて、ロフト角θが大きくなる。一般的に、番手がＡ３〜Ａ９のゴルフクラブでは、ロフト角は２０°〜４４°の範囲であり、番手がＡ９のゴルフクラブではロフト角は４０°〜４４°の範囲である。
これらの番手のロフト角θは、Ａ３からＡ６までは３°の刻み幅で大きくなり、Ａ７からＡ９までは４°の刻み幅で大きくなり、ＡＰからＡＳまでは５°の刻み幅で大きくなっている。なお、アイアンＡ３〜ＡＳのロフト角の刻み幅は、この一例に限定されず、３°または４°など一定の刻み幅であってもよい。
また、ゴルフクラブセットでは、一般的にグリップの端部からゴルフクラブヘッドの下端までのゴルフクラブシャフトの長さは、番手が大きくなるにつれ次第に短くなっている。すなわち、番手が小さいものの方がゴルフクラブシャフトの長さが長く、ロフト角が小さくなっている。
【００１２】
なお、本発明に係るゴルフクラブセットとしては、１０本のアイアンゴルフクラブセット（Ａ３〜ＡＳ）、あるいは番手が３番から９番のアイアンゴルフクラブセットが例示されるが、本発明に係るゴルフクラブセットには、アイアンゴルフクラブセットのみならず、例えばウッドゴルフクラブセット、ウッドゴルフクラブセットとアイアンゴルフクラブセットの境界を取り払ったようなゴルフクラブセット、ロングアイアンに相当するゴルフクラブのみ、または、ウッドゴルフクラブとアイアンゴルフクラブの中間的性能を備えてどちらにも分類しがたい、いわゆるユーティリティゴルフクラブを含めたゴルフクラブセットなど、ロフト角θが異なる複数本のゴルフクラブによって構成されるゴルフクラブセットが含まれる。
【００１３】
本発明においては、ゴルフクラブセット内のロフト角度が２０°から４４°の範囲にあるゴルフクラブ群において、ゴルフボールの捕まり度合いやゴルフクラブヘッド返りの良さが揃えられていることが好ましい。なぜならば、ロフト角度が２０°から４４°の範囲にあるゴルフクラブは、上述のように、特に飛距離が打ち分けられることが要求されるものであり、この飛距離の打ち分けの際に、ゴルフボールの捕まり度合いやゴルフクラブヘッド返りの良さが揃えられることが要求されるからである。
【００１４】
一方、ロフト角度θが２０°未満のドライバー類、およびロフト角度θが４４°を超えるウェッジ類は、ゴルフクラブセットの構成クラブとしてよりも、むしろ単品として購入する場合が多く、ゴルフクラブ供給メーカーも積極的に単品として販売していることからもわかるように、ロフト角度θが２０°未満のゴルフクラブは、主にティーアップして打球して飛距離を稼ぐためのものであり、ゴルフクラブセット内において必ずしも飛距離が打ち分けられるように要求されるものではない。
さらに、ロフト角度θが４４°を超えるゴルフクラブは、スイングの力を加減してグリーン上に確実に球をのせるためのコントロールされたアプローチショットに用いられることが多い。また、アプローチショットがし易いように主にソール部の形状またはフェースの輪郭形状等が改良されたもので、ゴルフクラブセット内において必ずしも飛距離が打ち分けられるように要求されるものではない。
したがって、本発明に係るゴルフクラブセットは、ロフト角度が２０度〜４４度の範囲のゴルフクラブによって、ゴルフボールの捕まり度合いやゴルフクラブヘッドの返りの良さが揃えられているゴルフクラブセットであることが好ましい。
【００１５】
図１に示すＡ３〜ＡＳのうち、Ａ３〜Ａ９の７本のゴルフクラブは、ゴルファがゴルフクラブを把持してゴルフスウィングを行なう際のモーメントＭあるいは値Ｔに基づいて、ゴルフボールの捕まり度合いやゴルフクラブヘッドの返りの良さが揃えられている。
具体的には、番手がＡ３〜Ａ９のゴルフクラブのうち、ロフト角度が最大であるＡ９のゴルフクラブのモーメントＭを基準として、その他のゴルフクラブのモーメントＭは７５％から１００％の範囲に設定されている。または、番手がＡ３〜Ａ９のゴルフクラブのうち、ロフト角度が最大であるＡ９のゴルフクラブの値Ｔを基準として、その他のゴルフクラブの値Ｔは８０％から１２０％の範囲に設定されている。
【００１６】
図２（ａ）から（ｃ）は、各ゴルフクラブが第１の指標として有するモーメントＭおよび第２の指標として有する値Ｔを説明するための図であり、ゴルファがゴルフクラブ３０を把持してゴルフスウィングを行なう際のゴルフボール３２を打撃する直前（ゴルフボール３２へのインパクトの瞬間）の状態を示す。
図２（ａ）はゴルファを地面に対して垂直上方から模式的に表し、図２（ｂ）はゴルフスウィングを行なうゴルファを後方から模式的に表し、図２（ｃ）はゴルフクラブ３０のヘッド部分の拡大図を表す。
【００１７】
図２（ａ）に示すように、ゴルファＧがスウィングする時のゴルフクラブヘッドの軌道つまりゴルフクラブヘッドの重心位置Ａの軌道は、点線で示されるように曲率半径Ｒｓの円の一部として表される。この曲率半径Ｒｓは、ゴルファがボルフボールを打撃する場合におけるゴルフクラブヘッドの軌道のうち、前記地面に対して平行な平面上に射影した射影軌道におけるゴルフボール打撃直前の曲率半径Ｒｓ（以下、ゴルフクラブヘッドの曲率半径Ｒｓという）である。
【００１８】
ゴルフボール３２の打撃直前の曲率半径Ｒｓで運動するゴルフクラブヘッドには、図２に示すように、ゴルフスウィングを行なう地面に平行な面上でかつ打撃方向に直交する方向に遠心力成分Ｆｘが作用する。この遠心力成分Ｆｘは、下記式（１）に示す周知の円運動における遠心力の算出式を用いて、ゴルフクラブヘッドの曲率半径Ｒｓと、ゴルフボールを打撃する直前のゴルフクラブヘッドのヘッドスピードＨｓ（以下、ヘッドスピードＨｓという）と、ゴルフクラブヘッドの質量Ｗｈとから定めることができる。
Ｆｘ  ＝  Ｗｈ  ×  （Ｈｓ２／Ｒｓ）      ・・・（１）
ここで、ゴルフクラブヘッドの質量Ｗｈはそれぞれのゴルフクラブヘッドに応じて固有であり、ゴルフクラブヘッドの曲率半径Ｒｓはゴルフクラブシャフトの長さや各ゴルファのリーチなどに依存し、ヘッドスピードＨｓは基本的には各ゴルファのスウィングスピードに対応する。ヘッドスピードＨｓの二乗をゴルフクラブヘッドの曲率半径Ｒｓで除算した値（Ｈｓ２／Ｒｓ）は、ゴルフボールを打撃する直前のゴルフクラブヘッドの加速度のうち、地面に平行な面上でかつ打撃方向に直交する方向の加速度成分（以下、加速度成分（Ｈｓ２／Ｒｓ）という）を表し、遠心力成分Ｆｘはこの加速度成分（Ｈｓ２／Ｒｓ）とゴルフクラブヘッドの質量Ｗｈとを乗算することにより算出できる。
【００１９】
さらに、ゴルフクラブヘッドに作用する遠心力成分Ｆｘは、ゴルフクラブシャフトの中心軸を中心としたモーメントＭを与える。このゴルフクラブシャフトの中心軸周りに作用するモーメントＭは、下記式（２）に示すように遠心力成分Ｆｘと後述する重心位置Ａの後退量Ｇｒとを乗算することによって、算出することができる。
Ｍ  ＝  Ｆｘ  ×  Ｇｒ      ・・・（２）
ここで重心位置Ａの後退量Ｇｒとは、図２（ｃ）に示すように、ゴルフクラブシャフトの中心軸あるいはこの中心軸の延長線からゴルフクラブヘッドの重心位置Ａまでの打撃方向に沿った距離を表す。上記式（１），（２）で演算されるモーメントＭは、ゴルフクラブシャフトの中心軸の周りにねじれ変形を生じさせるモーメントである。
【００２０】
なお、後退量Ｇｒは、図４に示すゴルフクラブのヘッドの平面図において、ヘッド４０の重心Ａと、シャフト軸を含み飛球線方向Fに対して垂直な平面Ｐとの距離Ｇｒである。図５は、ゴルフクラブのヘッドをトウ側よりみた側面図であるが、同様に距離Ｇｒが重心後退量である。
より具体的には、ヘッドをライ角どおりに水平面に設置し、そのフェース面を飛球線方向に向けた状態で、ヘッドの重心と、シャフト軸を含み飛球線方向に対して垂直な正面との距離である。
ここで、ライ角どおりに設置とは、ヘッドのソール面のラウンドと平面からなる設置面とのなす隙間がトウ側及びヒール側にて略等しくなる状態である。ソール面のラウンドが不明瞭な場合は、スコアラインと設置面とが平行な状態によって設置される。ソール面のラウンドが不明瞭かつスコアラインが直線状でない等、設置面との平行が判別できない場合は、ライ角度（度）＝（９７−クラブ長さ（インチ））にて設定される。例えば、３８インチのクラブ長さであれば、ライ角度は、９７−３８＝５９度になる。
【００２１】
クラブ長さは社団法人日本ゴルフ用協会が定める測定法により測定される。測定器としては、株式会社鴨下精衡所製のクラブ・メジャーIIが挙げられる。即ち、図６及び図７に示すように、ヒール端部を起点Ｐ１とし、グリップエンドを終点Ｐ２としたとき、これらＰ１，Ｐ２間の距離Ｃをクラブ長さとする。
重心後退量Ｇｒは、図８に示すように、支点４２を中心に矢印Ｕの方向に揺動可能なシーソー型の天秤計４１によって測定される。天秤計４１には、ヘッドのホーゼル孔に対して隙間のない嵌め合いを持つシャフトピン４３を有し、ヘッドや重量体を装着しない状態では、アーム４４が水平になるように釣り合っている。
ヘッド重心Ａのシャフト軸からの距離Ｇｒの測定は、図９に示すように、シャフトピン４３に質量Ｗのヘッド４０を装着し図４及び図５に示した距離Ｇｒがアーム長手方向に対して平行に測定されるように、つまり図６に示すヘッド４０を図９に示す鉛直方向に延びるシャフトピン４３に装着することができるように、平面Ｐに沿って回転させた状態で固定する。そして、アーム４４が水平に釣り合うような質量Ｗ’の重量体４５及び該重量体４５の重心Ａ’から支点までの長さＬ’を選択する。
【００２２】
以上より、シャフト軸からの重心後退量（距離Ｇｒ）は、釣り合いの式Ｗ×Ｇｒ＝Ｗ’×Ｌ’から、Ｇｒ＝（Ｗ’×Ｌ’）／Ｗにて求まる。なお、図９に示す天秤計４１の側面図においては、ヘッド４０にロフト角度とライ角度が存在するために、フェース面４６が若干見える状態になる。以上の説明は、シャフト軸からの重心後退量の測定原理であり、その測定器としては、株式会社鴨下精衡所製の重心測定器が挙げられる。
【００２３】
また、ゴルフクラブシャフトを中心軸としたゴルフクラブ３０のねじれ変形は、上述のモーメントＭ以外に、ゴルフクラブシャフトのねじれ強さにも依存する。このねじれ強さは、ゴルフクラブシャフトの一端を固定し自由端に一定のトルクをかけたときにねじれる中心角の角度（以下、ねじれ角Ｘという）で表される。つまり、ねじれ角Ｘが大きいほどゴルフクラブシャフトは軟らかく、ねじれ角Ｘが小さいほどゴルフクラブシャフトは硬い。本実施形態では、上述のモーメントＭにねじれ角Ｘを乗算した値を値Ｔとする。
【００２４】
したがって、このモーメントＭあるいは値Ｔが大きくなれば、ゴルフクラブシャフトを中心軸としたゴルフクラブ３０のねじれ変形が大きくなり、ゴルファがゴルフボール３２を打撃する直前のフェース面の向きが変化しやすい。
ここで、フェース面の向きとは、ゴルフクラブヘッドの打球面の向きをいい、特に左右（トウ側、ヒール側）に対する向きをいう。すなわち、ゴルファから見てフェース面が開くあるいは閉じる方向をいう。
【００２５】
ゴルファは、ゴルフスウィングにおいて、トップの状態からインパクトに至る間に、アドレスの状態で設定したフェース面の向きに、フェース面の向きが戻るようにゴルフスウィングを行なう。しかし、ゴルフクラブ３０にはモーメントＭが作用して、ゴルフクラブシャフトにねじれ変形が生じ、フェース面の向きが変化する。そのため、インパクト時のフェース面がアドレスの状態で設定したフェース面の向きに戻るように、ゴルファがゴルフスウィングを行なったとしても、ねじれ変形によって必ずしもフェース面の向きがアドレスの状態でのフェース面の向きに戻るとは限らない。
本発明では、このようなモーメントＭあるいは値Ｔとゴルファが感じるフェース面の返りとの対応関係を本願発明者等が見出して、上述のゴルフクラブを提供するに至っている。
【００２６】
以下、モーメントＭあるいは値Ｔとゴルファが感じるフェース面の返りとの関係について説明する。表１から表１３に示す１３種類のゴルフクラブセットを１０人のゴルファ（ＧａからＧｊ）に実際に試打してもらい、各ゴルファが打感から感ずるフェース面の返りに関するゴルフクラブセット内での差を評価してもらった。
なお、ここで試打に用いたゴルフクラブセットは、番手が３番から９番までの計７本のアイアンゴルフクラブセットであり、ＡＰ、ＡＡ、およびＡＳはゴルフボールにスピンをかけてカップ近くに寄せる等のアプローチショットに用いるものであり、ゴルフボールの飛距離を調整するものではないことから、フェース面の返りに関する評価から除外している。
【００２７】
評価方法は、アイアンゴルフクラブをゴルフクラブセット（ＡからＬ）毎に試打して、ゴルフクラブセット内でフェース面の返りの程度を、大きく差がある（評価点２）、少し差がある（評価点１）、差がない（評価点０）の３段階で評価してもらった。そして、１０人のゴルファ（ＧａからＧｊ）が評価した評価点の平均値を算出した。
したがって、１０人のゴルファ全員が、評価点２であると評価したゴルフクラブセットは、平均値が２となり、ゴルフクラブセット内におけるフェース面の返りの程度に大きく差があると評価することができる。これに対して、１０人のゴルファ全員が、評価点０であると評価したゴルフクラブセットは、平均値が０となり、ゴルフクラブセット内におけるフェース面の返りの程度に差がないゴルフクラブセットであると評価することができる。
【００２８】
表１から表６に６種類のアイアンゴルフクラブセット（ＡからＦ）における各ゴルフクラブの特性値（クラブ名、番手、ゴルフクラブの長さ、ヘッド質量Ｗｈ、重心位置Ａの後退量Ｇｒ、モーメントＭ、および比率）を示す。ここで比率とは、番手が９番のゴルフクラブのモーメントＭを基準（１．００）として各ゴルフクラブのモーメントＭを表した値、つまり、各ゴルフクラブのモーメントＭを９番のゴルフクラブのモーメントＭで除算した値である。ロフト角が最大である９番のゴルフクラブは、ロフト角が４０°から４４°の範囲に設定されているゴルフクラブである。
モーメントＭは、後述するように、ゴルフクラブヘッドの曲率半径Ｒｓを１３００ｍｍと、ゴルフクラブのヘッドスピードＨｓ（ｍ／ｓ）をゴルフクラブシャフト長さ（インチ）から３インチを減算した値とみなすことができ、これを利用して式（１），（２）より算出している。
さらに、表１４に、６組のゴルフクラブセット（ＡからＦ）内のフェース面の返りに関して、１０人のゴルファ（ＧａからＧｊ）が評価した結果を示す。
【００２９】
また、表７から表１３にその他の６種類のアイアンゴルフクラブセット（ＧからＭ）における各ゴルフクラブの特性値（クラブ名、番手、ゴルフクラブの長さ、ヘッド質量Ｗｈ、重心位置の後退量Ｇｒ、モーメントＭ、値Ｔ、および比率）を示す。
ねじれ角Ｘは、ゴルフクラブシャフトの一端を固定し、自由端に一定のトルクをかけたときにねじれる中心角の角度をいい、ゴルフクラブシャフトのねじれ剛性を表す。つまり、ねじれ角Ｘが大きいほどゴルフクラブシャフトは軟らかく、ねじれ角Ｘが小さいほどゴルフクラブシャフトは硬い。なお、このときにかけるトルクは１３．５（ｋｇｆ・ｃｍ）である。また、この比率は、９番のゴルフクラブの値Ｔを基準（１．００）として各ゴルフクラブの値Ｔを表したものである。この値ＴはモーメントＭにねじれ角Ｘを乗算した値である。
また、表１５に６組のゴルフクラブセット（ＧからＭ）内のフェース面の返りに関して、１０人のゴルファ（ＧａからＧｊ）が評価した結果を示す。
【００３０】
2005304775.tif 000003
【００３１】
2005304775.tif 000004
【００３２】
2005304775.tif 000005
【００３３】
2005304775.tif 000006
【００３４】
2005304775.tif 000007
【００３５】
2005304775.tif 000008
【００３６】
2005304775.tif 000009
【００３７】
2005304775.tif 000010
【００３８】
2005304775.tif 000011
【００３９】
2005304775.tif 000012
【００４０】
2005304775.tif 000013
【００４１】
2005304775.tif 000014
【００４２】
2005304775.tif 000015
【００４３】
2005304775.tif 000016
【００４４】
2005304775.tif 000017
【００４５】
表１４に示される評価結果より、ゴルフクラブセットＡおよびＢの平均値は０．３および０．２であり、他のゴルフクラブセットと比較して、ゴルフクラブセットＡおよびＢの平均値は０に近い。すなわち、ゴルフクラブセットＡおよびＢは、ゴルファが打感から感じるフェース面の返りの差が少ないゴルフクラブセットである。
さらに、表１から表６を参照して各ゴルフクラブの比率を見ると、ゴルフクラブセットＡおよびＢの比率は０．７５から１．００の範囲にある。
したがって、９番のアイアンゴルフクラブを基準として、モーメントＭを７５％から１００％に設定したゴルフクラブのセットは、番手間でのフェース面の返りの良さが揃えられたゴルフクラブセットであると、ゴルファによって評価され得る。
【００４６】
したがって、フェース面の返りに関して、ゴルフクラブセット内で違和感の少ないゴルフクラブセットを提供するには、番手が９番のゴルフクラブを基準として、モーメントＭの比率が０．７５から１．００の範囲内であればよい。
また、上述のように、この比率は９番のゴルフクラブのモーメントＭを基準（１．００）として各ゴルフクラブのモーメントＭを表した値であるため、モーメントＭを指標としてフェース面の返りの良さを評価できる。
【００４７】
表１５に示される評価結果より、ゴルフクラブセットＧ、ＨおよびＭの平均値は、ともに０．３であり、他のゴルフクラブセットと比較して、ゴルフクラブセットＧ、ＨおよびＭの平均値は０に近い。すなわち、ゴルフクラブセットＧ、ＨおよびＭは、ゴルファが打感から感じるフェース面の返り良さの差が少ないゴルフクラブセットである。
また、表７から表１３を参照して各ゴルフクラブの比率を見ると、ゴルフクラブセットＧおよびＨの値Ｔの比率は、０．８０から１．００の範囲にある。
【００４８】
さらに、表１２（ゴルフクラブセットＬ）を参照すると、値Ｔの比率はモーメントＭの比率とは異なり９番のゴルフクラブが最大でない、つまり、モーメントＭは、番手が大きくなるにつれて増加する傾向にあり、９番のゴルフクラブが最大となっているが、値Ｔは表１２に示すゴルフクラブセットLのように番手が大きくなるにつれて増加しないものもある。
モーメントＭは番手が大きくなるにつれて増加する傾向にあるが、ねじれ角Ｘはゴルフクラブシャフトの長さに依存する部分があるため番手が大きくなるにつれて減少する傾向にあり、値ＴはモーメントＭとねじれ角Ｘとを乗算した値であるためと考えられる。
そこで、表１５を参照すると、ゴルフクラブセットＬは平均点０．６であり、ゴルフクラブセット内におけるフェース面の返りの程度に差が少ないとは言い難く、表１２より値Ｔの比率は１．００から１．２１の範囲であることから、値Ｔの比率が１．００から１．２１の範囲にあるゴルフクラブのセットは、フェース面の返り良さが揃っていないゴルフクラブセットであると評価できる。このことから、値Ｔの比率が１．００から１．２０の範囲にあるゴルフクラブのセットもフェース面の返り良さの差が少ないゴルフクラブセットであるといえる。
したがって、９番のアイアンゴルフクラブを基準として値Ｔを８０％から１２０％に設定したゴルフクラブのセットは、番手間でのフェース面の返りの良さが揃えられたゴルフクラブセットであると、ゴルファによって評価され得る。
【００４９】
フェース面の返りに関して、ゴルフクラブセット内で違和感の少ないゴルフクラブセットを提供するには、番手が９番のゴルフクラブを基準として値Tの比率が０．８０から１．２０の範囲内であればよい。
また、この比率は９番のゴルフクラブの値Ｔを基準（１．００）として各ゴルフクラブの値Ｔを表した値であるため、値Ｔを指標としてフェース面の返りの良さを評価できる。
【００５０】
上述のように本実施形態では、式（１），（２）に従ってゴルフクラブのモーメントＭあるいは値Ｔを所定の範囲に設定するが、式（１），（２）で用いられる加速度成分（Ｈｓ２／Ｒｓ）、またはゴルフクラブヘッドの曲率半径ＲｓおよびヘッドスピードＨｓについて、特に限定はなく、実際のスウィングを測定した値の平均値などを用いてもよいし、代用値を用いてもよい。
【００５１】
ところで、本願発明者等は、モーメントＭあるいは値Ｔを設定する際に用いるゴルフクラブヘッドの曲率半径ＲｓおよびヘッドスピードＨｓについて、表１６および図３に示す測定結果より一定の関係を見出ている。
【００５２】
2005304775.tif 000018
【００５３】
表１６は、スウィング測定システムを用いて、５人のゴルファ（ＧａからＧe）が、３番から９番のゴルフクラブをスウィングしたときの、ゴルフボールを打撃する直前のヘッドスピードＨｓとゴルフクラブヘッドの曲率半径Ｒｓを測定した結果であり、図３は、表１６に従ってゴルファ（ＧａからＧｊ）のヘッドスピードＨｓとゴルフクラブシャフトの長さとの関係を表した散布図である。
【００５４】
図３に示すように、ゴルフクラブヘッドのヘッドスピードＨｓとゴルフクラブシャフトの長さは、直線近似（いずれも相関係数０．９８以上）できる。
また、表１６を参照すると、ゴルフボールを打撃する直前のヘッドスピードＨｓ（ｍ／ｓ）は、ゴルファＧａの場合にはインチ単位で表されるゴルフクラブシャフトの長さから３インチ減算した値に略一致し、ゴルファＧｂの場合にはインチ単位で表されるゴルフクラブシャフトの長さから５インチ減算した値に略一致し、ゴルファＧｄの場合にはインチ単位で表されるゴルフクラブシャフトの長さに略一致する。
しがたって、ヘッドスピードＨｓとゴルフクラブシャフトの長さとが線形な関係にあることを利用して、インチ単位で表されるゴルフクラブシャフトの長さ（インチ）から、所定値を減算した値を、ヘッドスピードＨｓ（ｍ／ｓ）の代用値として用いることができる。
一般ゴルファの標準レベルのスウィングスピードに最も近いのはゴルファＧａであることから、標準的なヘッドスピードＨｓ（ｍ／ｓ）は、ゴルフクラブシャフトの長さ（インチ）から３インチ減算した値とみなすことができる。
【００５５】
一方、ゴルフクラブヘッドの曲率半径Ｒｓは、表１６を参照すると、各ゴルファのヘッドスピードＨｓやゴルフクラブの番手に依存せず略一定であることから、ゴルフクラブヘッドの曲率半径Ｒｓは１３００ｍｍとみなすことができる。
【００５６】
したがって、インチ単位で表されるゴルフクラブシャフトの長さから３インチ減算した値をヘッドスピードＨｓとして、１３００ｍｍを曲率半径Ｒｓとして代用した値を用いて、モーメントＭあるいは値Ｔを、所定範囲に設定することができる。
しかしながら、モーメントＭあるいは値Ｔを所定範囲に設定する際に用いるゴルフクラブヘッドの曲率半径ＲｓおよびヘッドスピードＨｓ、または加速度成分（Ｈｓ２／Ｒｓ）について、実際のスウィングを測定した値の平均値などを用いてもよいし、その他の代用値を用いてもよい。
【００５７】
ゴルフクラブヘッドの曲率半径Ｒｓを実測する方法としては、例えば、本願出願人による特開２００１−１１２９０３号公報に開示される３次元磁気センサを用いたスウィング解析方法や、ゴルフスウィングを行なう地面に対して垂直上方に高速度カメラを設置して、ゴルフクラブヘッドの軌跡を撮影して画像処理によりゴルフクラブの位置座標を求め、その結果を利用する方法などがある。
また、ゴルフクラブヘッドのヘッドスピードＨｓを実測する方法としては、例えば、光源から射出される２つのビームを横切るゴルフクラブヘッドの時間差を求めることで算出する方法などがある。
【００５８】
また、ゴルフクラブヘッドの曲率半径ＲｓおよびヘッドスピードＨｓを用いることなく、ゴルフボールを打撃する直前のゴルフクラブヘッドの加速度のうち、地面に平行な面上でかつ打撃方向に直交する方向の加速度成分（Ｈｓ２／Ｒｓ）を用いて、モーメントＭあるいは値Ｔを設定してもよい。すなわち、実際に測定した加速度成分（Ｈｓ２／Ｒｓ）に、ゴルフクラブヘッドの質量Ｗｈと重心位置の後退量Ｇｒとを乗算してモーメントＭとし、さらにねじれ角Ｘを乗算して値Ｔとしてもよい。
このような加速度成分（Ｈｓ２／Ｒｓ）を実測する方法として、ゴルフクラブシャフトの中心軸方向の加速度を測定する加速度センサをゴルフクラブヘッドに貼り付けて、ゴルフスウィング時の加速度を測定し、この測定結果から地面に平行な加速度成分を求める方法などがある。
【００５９】
また、それぞれのヘッドスピードＨｓに応じて、ゴルフクラブセット内の各ゴルフクラブのモーメントＭあるいは値Ｔを所定の範囲に揃えることにより、スウィングスピードに応じてゴルフクラブヘッドの返りの良さが所定の範囲に揃えられているゴルフクラブセットを、各ゴルファのスウィングスピードに応じて分類、提供することができる。
例えば、スウィングスピードを高速、標準、低速の３段階に分類し、高速なスウィングスピードに対応したヘッドスピードＨｓを用いてモーメントＭあるいは値Ｔを所定範囲に設定したゴルフクラブセットを高速レベルのゴルファ向けのゴルフクラブセットとして分類することができる。
さらに、ゴルファにゴルフクラブをスウィングしてもらい、ヘッドスピードがどの速度レベルであるかを認知し、その速度レベルに応じたゴルフクラブセットを提供することができる。
【００６０】
また、上述したモーメントＭあるいは値Ｔを、捕まり度合いやフェース面の返り易さを評価する指標として、文字、数字、または記号等の表示手段を用いて記録媒体に表示してもよい。すなわち、捕まり度合いやフェース面の返りの良さを評価する指標であるモーメントＭあるいは値Ｔに基づいて設計されているゴルフクラブセットであることを、記録媒体を介して利用者に認識させたり、このようなゴルフクラブセットであるという情報を利用者に提供したりしてもよい。なお、このような記録媒体としては、値札や商品札などのタグやシール、あるいはカタログなどを例示することができる。
【００６１】
本発明では、ゴルフボールの捕まり度合いやゴルフクラブヘッドの返りの良さを示す指標としてモーメントＭあるいは値Ｔを所定の範囲に設定した複数本のゴルフクラブを有するゴルフクラブセットを提供することができる。
したがって、シリーズ化した複数のゴルフクラブやアイアンセットの複数のゴルフクラブを有するゴルフクラブセットにおいて、ゴルフボールの捕まり度合いやゴルフクラブヘッドの返りの良さが揃えられたゴルフクラブセットを提供することができる。
さらに、それぞれゴルファのスウィングスピードに応じて、ゴルフクラブセット内の各ゴルフクラブのモーメントＭあるいは値Ｔを所定の範囲に揃えることにより、スウィングスピードに応じてゴルフクラブヘッドの返りの良さを所定の範囲に揃えられたゴルフクラブセットを、各ゴルファのスウィングスピードに応じて提供することもできる。
また、インチ単位で表されるゴルフクラブシャフトの長さから、スウィングスピードに応じた所定値を減算した値を、各スウィングスピードに応じたヘッドスピードＨｓ（ｍ／ｓ）とみなし、１３００ｍｍをゴルフクラブヘッドの曲率半径Ｒｓとみなして、モーメントＭあるいは値Ｔを所定範囲に設定することができる。
以上、本発明に係るゴルフクラブセットについて詳細に説明したが、本発明は、以上の実施形態に限定されるものではなく、本発明の要旨を逸脱しない範囲において、各種の改良や変更を行ってもよいのはもちろんである。
【図面の簡単な説明】
【００６２】
【図１】本発明の実施形態に係るゴルフクラブセットの一例を示す模式図である。
【図２】（ａ）〜（ｃ）は、ゴルファがゴルフクラブを把持してゴルフスウィングを行なう際のゴルフボールを打撃する直前の状態を示す図である。
【図３】ヘッドスピードとゴルフクラブシャフト長さの関係の一例を示す散布図である。
【図４】重心位置の後退量を説明するための図である。
【図５】重心位置の後退量を説明するための図である。
【図６】ゴルフクラブ長さを説明するための図である。
【図７】ゴルフクラブ長さを説明するための図である。
【図８】重心位置の後退量の測定方法を説明するための図である。
【図９】重心位置の後退量の測定方法を説明するための図である。
【符号の説明】
【００６３】
１０  ゴルフクラブセット
１２  ゴルフクラブシャフト
１４  グリップ
１６  ゴルフクラブヘッド
１８  ホーゼル
２０  ソケット
２２  フェース面
３０  ゴルフクラブ
３２  ゴルフボール
【図１】
2005304775.tif 000019
【図２】
2005304775.tif 000020
【図３】
2005304775.tif 000021
【図４】
2005304775.tif 000022
【図５】
2005304775.tif 000023
【図６】
2005304775.tif 000024
【図７】
2005304775.tif 000025
【図８】
2005304775.tif 000026
【図９】
2005304775.tif 000027